(57)【特許請求の範囲】
【請求項１】
上レールの上部に窓開口部を設け、該上レールの下部に上吊り式引戸によって開閉される通路開口部を設けた引戸の上吊り構造において、
前記上レールは横桟と兼用するビーム材により構成され、その中心部から両外部側に突き出た上レール部上を走行する上吊り車により上吊り式引戸が懸垂される構造とされ、
前記上レールとは別部材になる略断面コ形の目隠しカバーを前記上レールの上側から取り付けるようにして、該上レールの上面部と両外側部とを覆うようにするとともに、
前記目隠しカバーは、前記上吊り式引戸が吊り込まれた後、前記窓開口部を開閉する障子戸が装備される前に、前記上レールに対して上側から取り付ける構造とされ、目隠しカバーが取り付けられた後に、前記障子戸を開閉案内する下ガイドレールが前記目隠しカバーと共通してネジなどの固定手段により取り付けられる構造とされたことを特徴とする上吊り式引戸の上吊り構造。
【発明の詳細な説明】
【０００１】
【発明の属する技術分野】
本発明は、各種建造物の戸口、その内部通路、あるいは、学校校舎、病院などの広い床面積を持つ建物空間を、目的に合わせて間仕切りする際などの間仕切りパネルに設けられた通路開口部を開閉する上吊り式引戸の上吊り構造、特に、上吊り引戸の目隠しカバー構造に関するものである。
【０００２】
【従来の技術】
従来、工場でのプレハブ化によるコスト低減や、現場作業の効率化のために、前記間仕切りパネルに、通路開口部を構成する際には、予め、工場で、引戸の上吊り車を両側に懸垂した上レールに、この上レールの両側を目隠しするカバーを装着し、これを、少なくとも左右一対の方立枠と横桟とより構成される通路開口部に組み込んで置き、現場において、上吊り引戸を装着するが、この装着時、前記上吊り車から下方に延びるハンガーに引戸をボルト止めし、前記上レールに引戸を懸垂させる必要があった。
【０００３】
【発明が解決しようとする課題】
このため、ボルト止めに際しては、引戸を持ち上げた状態に維持しなければならず、作業が面倒であった。そこで、目隠しカバーを、戸口の正面および裏面から現場付けすることができるようにして、予め、引戸にハンガーを装着しておいて、目隠しカバー装着前に、現場で、上レールに上吊り車を懸垂する施工手順にすることも考えられるが、この場合は、目隠しカバーを戸口の正面側および裏面側から上レールに対してネジ止めするなどの、面倒な作業が必要となり、しかも、カバーの継ぎ目や、ネジ頭の露出など、戸口における外観美を損なうという意匠上の問題がある。
【０００４】
本発明は、上記事情に基づいてなされたもので、その目的とするところは、間仕切りパネルなどの中間横桟の上に、欄間などの窓開口部を持つ構造では、上レールに目隠しカバーを取り付ける際、上レールの上側から取り付け作業ができる点に着目して、現場での引戸の取付けが簡単で、しかも、取り付けられた目隠しカバーも、外観上に何等支障がない、優れた上吊り式引戸の上吊り構造、特に、上吊り引戸の目隠しカバー構造を提供することにある。
【０００５】
【課題を解決するための手段】
このため、請求項１では、図示の実施例でも明らかにしたように、上レール４の上部に窓開口部Ｍを設け、該上レール４の下部に上吊り式引戸３によって開閉される通路開口部Ｔを設けた引戸の上吊り構造において、前記上レール４は横桟と兼用する、例えば略断面エ形のビーム材により構成され、その下辺の中心部から両外部側に突き出た上レール部４ａ上を走行する上吊り車５により上吊り式引戸が懸垂される構造とされ、前記上レール４とは別部材になる略断面コ形の目隠しカバー７を前記上レール４の上側から取り付けるようにして、該上レール４の上面部と両外側部とを覆うようにしている。
【０００６】
さらに、前記目隠しカバー７が取り付けられた後に、前記障子戸５を開閉案内する下ガイドレール９が前記目隠しカバー７と共通してネジなどの固定手段１０により取り付けられる構造とされている。
【０００８】
このような構成では、予め、引戸３にハンガー１１を装着して置いて、目隠しカバー７の装着前に、現場で、上レール４に上吊り車５を懸垂する施工手順にしても、目隠しカバー７は、上レール４の上側から取り付けられ、上レール４の正面および裏面を覆うことができるので、現場での、上吊り式引戸３の組み込みが簡単に行えるだけでなく、目隠しカバー７の取付けも簡単であり、戸口の外観も、何等、損なうことがないという利点がある。
【０００９】
なお、この構成を間仕切りパネルに採用する場合、上レール３は、上記欄間などの窓開口部Ｍに障子戸６、６を装備する際の横桟を兼ねており、目隠しカバー７は、前記障子戸の下ガイドレール９が装着されるのに先立って、上レール３の上側から装着され、下ガイドレール９と共に固定される構造にすると良い。これによって、現場での組立作業がより簡素化される。
【００１１】
【発明の実施の形態】
以下、本発明の上吊り式引戸の上吊り構造を、図示の実施の形態において、具体的に説明する。なお、ここでは、学校校舎、病院などの建物空間を間仕切りする間仕切りパネルの構造において、本発明の上吊り式引戸の上吊り構造が採用されている。この間仕切りパネルは、少なくとも左右一対の方立枠１、１と上側横枠２とより構成されるものである。建造物自体の柱等、上記方立枠に代わる部材がある場合には、上記左右一対の方立枠の少なくともいずれか一方又は双方を省略できる。そして、この間仕切りパネルに上吊り引戸３を装着する際に、引戸３を上吊りする上レール４は、例えば、略断面エ字形で、その両側外縁部、この実施の形態では、左右平行に延びる上レール部４ａ、４ａに引戸３の上吊り車５を、ハンガー１１を介して、懸垂する。なお、この実施の形態では、上レール４は、上記欄間としての窓開口部Ｍに障子戸６、６を装備する際のビーム材としての中間横桟を兼ねている。
【００１２】
上レール４の両側箇所を目隠しするための本発明の目隠しカバー構造では、上レール４が、上側横枠２の下側に窓開口部Ｍを介して、両方立枠１、１間に架設されており、目隠しカバー７は、上レール４とは別に構成され、上レール４に対して上側から取り付ける略断面コ字形の形状を成している。目隠しカバー７は、アルミ材などの金属、またはプラスチック材により形成されている。
【００１３】
また、障子戸６、６を窓開口部Ｍの空間に装着するために、上側横枠２の下側に障子戸のための上ガイドレール８が、また、上レール４の上側に、現場で、ネジ止めなどの固定手段１０により装着される下ガイドレール９が、それぞれ、装備されている。なお、図中、符号１２は引戸３の下側を案内するガイド部材であって、床面に装着される。このガイド部材１２は、例えば、床取付け台部１２ａ、その上に垂直に設けた支持軸１２ｂ、その上端に設けたガイドローラ１２ｃから構成される。
【００１４】
このような構成では、予め、工場で、左右方立枠１，１、上側横枠２、及び中間横桟としての上レール４を少なくとも具備する間仕切りパネルを製造する。このとき、引戸３については、引戸３の上部に、上吊り車５を軸支するハンガー１１を装着して置く。そして、現場で、間仕切りパネルを装着した状態で、目隠しカバー７を装着する前に、上レール３に上吊り車５を懸垂し、引戸３を吊り込む。その後目隠しカバー７を、上レール３の上側から被せる。次に、障子戸６、６のための下ガイドレール９を挿入して、目隠しカバー７と下ガイドレール９を固定手段１０のよって、共通して取付け固定する。最後に、障子戸６、６をはめ込めばよい。従って、現場での、間仕切りパネルに対する引戸３の組み込みが簡単に行えるだけでなく、目隠しカバー７の取付けも簡単であり、戸口の外観も、何等、損なわれることがない。
【００１５】
【発明の効果】
本発明は、以上詳述したようになり、上レールに目隠しカバーを取り付ける際、上レールの上側から取り付け作業ができるので、現場での上吊り式引戸の吊り込み作業が簡単で、しかも、取り付けられた目隠しカバーも、外観上に何等、支障がないなどの優れた効果が得られる。
【図面の簡単な説明】
【図１】本発明の実施の形態としての上吊り式引戸の上吊り構造を有する間仕切りパネルの正面図である。
【図２】同じく、縦断側面図である。
【符号の説明】
１    方立枠
２    上側横枠
３    引戸
４    上レール
４ａ    上レール部
５    上吊り車
６    障子戸
７    目隠しカバー
８    上ガイドレール
９    下ガイドレール
１０    固定手段
１１    ハンガー
１２    ガイド部材
１２ａ    床取付台部
１２ｂ    支持軸
１２ｃ    ガイドローラ
Ｔ    通路開口部
Ｍ    窓開口部
【図１】
0004022986.tif 000002
【図２】
0004022986.tif 000003